(57)【要約】      （修正有）【課題】２軸で回動する構成の表示装置を有するカメラで、表示装置が常に安定した回動をするカメラ及びその表示装置の回動装置を提供する。【解決手段】カメラ本体２と表示装置５はダブルヒンジ７で連結されている。ヒンジフレーム７−３にはカメラ本体に固定された第１軸３２と表示装置５に固定された第２軸３３が挿通されている。第１軸３２とヒンジフレーム７−３との第１軸クリックＡ３６及び第１軸クリックＢ３８を介するクリック係合は、第２軸３３とヒンジフレーム７−３との第２軸クリックＡ３７及び第２軸クリックＢ４１を介するクリック係合よりも強く設定されているので、最初に表示装置５が第２軸３３を中心にダブルヒンジ７に対してストッパ位置まで回動し、次にダブルヒンジ７と共にカメラ本体２に対して回動する。これにより表示装置５はカメラ本体２の撮影面２−２を覆う位置から背面（図の向う側面）を覆う位置まで安定した姿勢で回動する。【選択図】図８
2006138958.tif 000002
【特許請求の範囲】
【請求項１】
撮影レンズ部を前面側に有するカメラ本体と、
前記撮影レンズ部で撮影された画像を表示する表示装置と、
前記表示装置を前記撮影レンズ部を保護する位置と露出させる位置とに移動可能に前記カメラ本体と前記表示装置とを連結する連結部と、
備え、
前記連結部は、前記カメラ本体を回動自在に連結する第１の回動部と、前記表示装置を回動自在に連結し前記第１の回動部とは回動抵抗が異なる第２の回動部と、を有することを特徴とするカメラ。
【請求項２】
前記連結部の前記第１の回動部の回動抵抗は、前記第２の回動部の回動抵抗よりも大きい、ことを特徴とする請求項１記載のカメラ
【請求項３】
前記連結部の前記第１の回動部の回動抵抗及び前記第２の回動部の回動抵抗は、それぞれ回動開始時の抵抗である、ことを特徴とする請求項１又は２記載のカメラ。
【請求項４】
前記連結部は、カメラ本体の底面部に設けられ、前記第１の回動部と前記第２の回動部それぞれの回動中心は相互に平行になるように設定されている、ことを特徴とする請求項１、２又は３記載のカメラ。
【請求項５】
前記連結部は、
カメラ本体の底面部に設けられ、
前記第２の回動部の回動中心がカメラ本体の幅方向と略平行であり、
前記表示装置が前記カメラ本体の前記撮影レンズ部を覆う位置から被写体側に向かって底面方向に回動して前記表示装置の表示部が前記被写体に対峙する位置まで移動したとき前記表示部の表示方向が前記被写体の方向に対して斜め上向きとなるような位置で前記表示装置を保持する保持部を有する、
ことを特徴とする請求項３記載のカメラ。
【請求項６】
前記表示装置が前記保持部によって保持された位置において、前記表示装置の前記表示部に前記被写体の方向から見て正立状態の画像を表示させるように表示制御する制御手段を備えたことを特徴とする請求項５記載のカメラ。
【請求項７】
撮影レンズを前面に備えたカメラ本体に、撮影画像を表示する表示装置を移動可能に連結する回動装置であって、
前記表示装置を前記撮影レンズ部を保護する位置と露出させる位置とに移動可能に前記カメラ本体と前記表示装置とを連結する連結部を備え、
該連結部は、
前記カメラ本体を回動自在に連結する第１の回動部と、
前記表示装置を回動自在に連結し前記第１の回動部の回動抵抗よりも小さい回動抵抗を有する第２の回動部と、
を備えたことを特徴とする回動装置。
【発明の詳細な説明】
【技術分野】
【０００１】
本発明は、カメラ本体に対して表示装置を回動させる２軸回動装置を備えたカメラに関する。
【背景技術】
【０００２】
一般に、デジタルカメラには、撮影画像をその場で確認できるようにＬＣＤ（liquid crystal display：液晶表示装置）等からなる表示装置が備えられている。ところで、この表示装置がカメラ本体に対して固定でなく向きが変更可能であると、種々の撮影姿勢を選択したり表示方向が選択できるので便利である。
【０００３】
そして、表示装置を移動させる構成としては、色々の提案があり、それらの中には表示装置をカメラ本体に対して移動させる機構として２軸の回動機構を有するカメラが各種提案されている。（例えば、特許文献１、２、３参照。）
このように、回動軸を２軸で構成すると、回動軸を１軸で構成した場合に比べて、回動の移動量が大きく出来るので利用性を広げることができる。
【０００４】
また、表示装置の姿勢変更による撮影態様の中で、被写体方向に表示装置を向けた自分撮り撮影は良く知られている。（例えば、特許文献１、２、３参照。）
更には、非使用時には表示装置を撮影時の位置から撮影レンズを保護する位置に回動させるカメラも提案されている。（例えば、特許文献４参照。）
【特許文献１】特開平０７−３３６５７０号公報（［要約］、図１、図４）
【特許文献２】特開平０８−００９２１３号公報（［要約］、図１）
【特許文献３】特開平０８−３３１４２４号公報（［要約］、図５）
【特許文献４】特開平１１−２５８６５７号公報（［要約］、図１）
【発明の開示】
【発明が解決しようとする課題】
【０００５】
しかしながら、上述した２軸で回動する構成のカメラでは、カメラ本体と表示装置とを連結する回動機構において各軸が独立して回動可能に構成されている。これでは、１軸で回動する構成に比べて回動の自由度が大きくなるとはいうものの、回動の自由度が大きくなった分だけ表示装置の位置が不安定になるという課題が発生する。
【０００６】
本発明の課題は、上記従来の実情に鑑み、２軸で回動する構成で表示装置を移動させるカメラにおいて、表示装置が常に安定した回動をするカメラ及びその表示装置の回動装置を提供することである。
【課題を解決するための手段】
【０００７】
先ず、第１の発明のカメラは、撮影レンズ部を前面側に有するカメラ本体と、上記撮影レンズ部で撮影された画像を表示する表示装置と、上記表示装置を上記撮影レンズ部を保護する位置と露出させる位置とに移動可能に上記カメラ本体と上記表示装置とを連結する連結部と、備え、上記連結部は、上記カメラ本体を回動自在に連結する第１の回動部と、上記表示装置を回動自在に連結し上記第１の回動部とは回動抵抗が異なる第２の回動部と、を有して構成される。
【０００８】
このカメラにおいて、例えば上記連結部の上記第１の回動部の回動抵抗は、上記第２の回動部の回動抵抗よりも大きいように構成される。そして、上記連結部の上記第１の回動部の回動抵抗及び上記第２の回動部の回動抵抗は、例えばそれぞれ回動開始時の抵抗である。
【０００９】
また、上記連結部は、例えばカメラ本体の底面部に設けられ、上記第１の回動部と上記第２の回動部それぞれの回動中心は相互に平行になるように設定されていることが好ましい。
【００１０】
また、上記連結部は、例えばカメラ本体の底面部に設けられ、上記第２の回動部の回動中心がカメラ本体の幅方向と略平行であり、上記表示装置が上記カメラ本体の上記撮影レンズ部を覆う位置から被写体側に向かって底面方向に回動して上記表示装置の表示部が上記被写体に対峙する位置まで移動したとき上記表示部の表示方向が上記被写体の方向に対して斜め上向きとなるような位置で上記表示装置を保持する保持部を有するように構成される。
【００１１】
この場合、このカメラは、上記表示装置が上記保持部によって保持された位置において、上記表示装置の上記表示部に上記被写体の方向から見て正立状態の画像を表示させるように表示制御する制御手段を備えて構成される。
【００１２】
次に、第２の発明の回動装置は、撮影レンズを前面に備えたカメラ本体に、撮影画像を表示する表示装置を移動可能に連結する回動装置であって、上記表示装置を上記撮影レンズ部を保護する位置と露出させる位置とに移動可能に上記カメラ本体と上記表示装置とを連結する連結部を備え、該連結部は、上記カメラ本体を回動自在に連結する第１の回動部と、上記表示装置を回動自在に連結し上記第１の回動部の回動抵抗よりも小さい回動抵抗を有する第２の回動部と、を備えて構成される。
【発明の効果】
【００１３】
本発明によれば、カメラと表示装置の連結部を第１の回動部と第２の回動部による２軸で構成し且つ第１の回動部の回動抵抗と第２の回動部の回動抵抗とが異なるように構成することにより２軸の回動の順番が安定して決まるので、回動中の表示装置の向きを一義的に決めることができる。
【発明を実施するための最良の形態】
【００１４】
以下、本発明の実施の形態を図面を参照しながら説明する。
【実施例１】
【００１５】
図１の上は、実施例１としてのカメラの上面図であり、図１の下は、その正面図である。尚、図１は、カメラの表示装置が閉成位置に畳まれているときのカメラの全体図である。また、図１に示すカメラは、電子機器の一例としてデジタルカメラを取り上げて示している。
【００１６】
図１に示すように、カメラ１は、カメラ本体２の正面の図の左側ほぼ１／３（幅方向の寸法で）に把持部３が形成され、把持部３の上部にはセルフタイマ用報知窓４が設けられている。
【００１７】
またカメラ本体２の右側ほぼ２／３を、表示装置５がその背面（非表示面５−１）をカメラ正面方向に見せて覆っており、その表示装置５の上部にはカメラの種々の状態を点灯又は点滅報知するための報知部６−１が設けられている。
【００１８】
表示装置５の下部には、表示装置５とカメラ本体２とを回動自在に連結する連結部としてのダブルヒンジ７が取り付けられている。このダブルヒンジ（実際はヒンジケース）７は、カメラ本体２の底面部に配置され、その内部には、詳しくは後述するが、カメラ幅方向に平行な２つの支持軸から構成される２軸の回動機構を備え、表示装置５の下部からカメラ本体２の底面部を回り込むようにして表示装置５とカメラ本体２とを連結している。
【００１９】
また、カメラ１の上面には、セルフタイマ用報知窓４の上方に当たる位置に、ズームレバー８とシャッタボタン９が配置され、その左方にリモコン用受光窓１１が配置されている。
【００２０】
図２は、カメラの表示装置が下位置に回動しているときのカメラの全体図であり、右下は正面図、右上はその上面図、左は正面図に対するカメラ把持部が設けられている方の側面図である。
【００２１】
図２に示すように、表示装置５がダブルヒンジ７を支点にして下方位置に回動すると、カメラ本体２の前面が開成されて撮影面２−２が露出する。撮影面２−２には、その上部左側（カメラ全体としてはほぼ中央）に撮影レンズ窓１３、上部右端にストロボ窓１４、その下にマイク１５、その右横及び残りの３隅に前面凸部１０が、それぞれ現われる。この凸部１０については後述する。
【００２２】
また、表示装置５がその表示部としての表示面５−２を前面に向けて配置される。表示装置５は液晶表示装置から成り、表示面５−２は液晶表示面である。この表示装置５の表示面５−２の左端やや下方に、表示装置５をカメラ本体２に折り畳んだときに固定するロック爪１２−１が設けられ、カメラ本体２のロック爪１２−１に対応する位置には、詳しくは後述するが、内部でスイッチ接片１２−２が進退するロック溝１２−３が設けられている。
【００２３】
また、上記表示面５−２の下方には、図１の報知部６−１と対向する位置に報知部６−２が配置され、その右側に電源ボタン１６が設けられている。
尚、報知部６−１及び６−２は、詳しくは後述するが、図１のように表示装置５が畳まれているときでも図２のように開かれているときでも、報知光を外部に放散する。すなわち、一つの光源から出た報知光が表示装置５の表裏両面方向に二分されて報知部６−１及び６−２から放射される。
【００２４】
また、図２のように表示装置５が開かれると、ダブルヒンジ７の回動が検出され、これに応じてカメラ電源が起動され、光源が点灯され、所定の報知光が表示装置５の表裏両面方向に放射される。これにより、カメラが起動したことが外部から認知される。
【００２５】
尚、この図２に示すように、表示装置５の表示面５−２がカメラ本体２から開成され、撮影レンズ窓１３が向く方向にある被写体に対峙する位置まで回動して移動したとき、表示面５−２の表示方向が被写体の方向に対して斜め上向きとなるような位置で表示装置５が保持される。この保持機構は、これも詳しくは後述するが、このカメラ１のヒンジ７に組み込まれている。
【００２６】
この図２に示す表示装置５の開成位置でのカメラ１の使用方法は、カメラ１の使用者が自分で自分の居る方向を撮影するような場合に、表示装置５の表示面５−２をモニタとして見ながら用いられる方法であり、自分撮り撮影の撮影態様としてしばしば活用される撮影方法である。そして、本例では表示面５−２の表示方向が被写体の方向に対して斜め上向きとなるような位置、すなわち自分撮りに適した角度で表示装置５が保持されるように構成されている。
【００２７】
図３は、図２の右下に示す状態のカメラ１を背面から見た図である。図３には、図１及び図２と同一の構成部分には図１及び図２と同一の番号を付与して示している。更に、カメラ本体２の背面２−１に設けられている４個の凸部２０を示している。この凸部２０については後述する。
【００２８】
図４は、上記の表示装置５を図３に示す下位置から更にカメラ１の裏側に回り込むように回動させて表示装置５の背面（非表示面５−１）をカメラ本体２の背面２−１に当接させた状態を示す図である。図４は、カメラ１の撮影時の使用態様を示している。また、図４には、図１及び図２と同一の構成部分には図１及び図２と同一の番号を付与して示している。
【００２９】
図４に示すように、カメラ１の使用に当たって、表示装置５を図１の状態からカメラ１の裏側に３６０度回動させて回り込ませてカメラ１の背面２−１のほぼ２／３を覆い隠すようにして表示面５−２をカメラ１の背面２−１に配置したとき、カメラ１の背面２−１の残る１／３の面に、モードダイヤル１７、十字ボタン１８、その他の操作ボタン１９（１９−１、１９−２、１９−３）が配設されており、表示装置５の表示面５−２に表示される表示画面を見ながら、種々の操作を行うことができるようになっている。
【００３０】
そして、撮影時には、把持部３を手に持って、表示面５−２に映し出される映像を確認しながらシャッタボタン９を押して撮影を行うことが出来る。カメラ起動中は、報知部６−２に表示させることで電源オン中であることを示すことができる。また、表示装置５が開成された状態でも電源ボタン１６の操作によって電源オン・オフの切り替えを行うことができる。
【００３１】
図５は、表示装置５の非表示面５−１をカメラ本体２の背面２−１に当接させたときのカメラ１の図４に示す状態において、把持部３を、図５のように人が右手２１で保持して撮影状態に構えたときのカメラ１を、斜め下から見上げた斜視図である。
【００３２】
図５に示すように、表示装置５の非表示面５−１をカメラ本体２の背面２−１の図３に示す凸部２０に当接するところまで回動させてカメラ全体を撮影状態に位置決めをしたとき、これに伴って回動したダブルヒンジ７のカメラ下方に露出する内側ヒンジカバー７−１の両側には、凸状の２個の第１当接部２２がカメラ１の下方向けに露出するように設けられている。この第１当接部２２の機能については後述する。
【００３３】
図６は、表示装置５を携帯時（又は非使用時）の状態に畳んだときの図１の下に示したカメラ１の状態を斜め下から見た斜視図である。
図６に示すように、カメラ１の底面に配置されているダブルヒンジ７の外側ヒンジカバー７−２には、カメラ幅方向に平行な段差部から成る第３当接部２４が形成されており、その第３当接部２４よりもカメラ手前側の両側２箇所に２個の凸部から成る第２当接部２３が形成されている。第２当接部２３及び第３当接部２４の機能については後述する。
【００３４】
図７は、上記ダブルヒンジ７の内部のヒンジ機構をカメラ全体構成の中における位置関係と共に示す概略斜視図である。尚、同図には、図１〜図６で示した構成部分と同一の構成部分には図１〜図６と同一の番号を付与して示している。
【００３５】
図７には、概略で、カメラ本体２と、その撮影面２−２、把持部３、及び底面２−３の後部半面から下方に延設された本体連結係合部２５（２５−１、２５−２、２５−３）を示している。また、これも概略で、表示装置５と、その表示面５−２、やや外側下がりに傾斜する下面（図では上部の面）５−３から下方（図では上方）に延設された表示連結係合部２６（２６−１、２６−２、２６−３）を示している。
【００３６】
上記の本体連結係合部２５と表示連結係合部２６とに、ヒンジ機構が係合している。同図には、とりあえず、内部のヒンジ機構に関わるヒンジフレーム７−３と、そのヒンジ機構を保護するための図５及び図６にも示した内側ヒンジカバー７−１及び外側ヒンジカバー７−２を示している。外側ヒンジカバー７−２には内面両側にネジ込み穴２７を有するボス２８がそれぞれ突設され、これに対応して、内側ヒンジカバー７−１には両側にネジ挿通孔２９が穿設されている。また、同図には、参考のために、ヒンジ機構に纏わるように回り込みながら上下に走るフレキシブル基板３１を示している。
【００３７】
図８は、上記ヒンジ機構の拡大図である。尚、同図には、図７で示した構成部分と同一の構成部分には図７と同一の番号を付与して示している。図８に示すように、ヒンジフレーム７−３は、中軸７−３−１とこの中軸７−３−１の両端にそれぞれ中央部を固設された板状部材７−３−２とから成る。
【００３８】
これら板状部材７−３−２の上部に、カメラ本体２の本体連結係合部２５−１と２５−２に保持されて固定され中空の本体連結係合部２５−３を貫通する第１の回動部としての第１軸３２が挿通される。第１軸３２は、カメラ本体２に固定して取り付けられる。
【００３９】
また、板状部材７−３−２の下部に、表示装置５の表示連結係合部２６−１と２６−２に保持されて固定され中空の表示連結係合部２６−３を貫通する第２の回動部としての第２軸３３が挿通されている。
【００４０】
上記第１の回動部と第２の回動部とは、それぞれの回動中心となる第１軸３２と第２軸３３は相互に平行になるように設定されている。第２軸３３は、表示装置５に固定して取り付けられる。
【００４１】
また、第１軸３２及び第２軸３３ともに、ヒンジフレーム７−３の板状部材７−３−２の内側に当接するフランジ部３４、３５を備えており、これにより、ヒンジフレーム７−３が位置決めされている。また、第１軸３２及び第２軸３３は、ともにヒンジフレーム７−３の板状部材７−３−２の外側において上下をＤカットされている。勿論上下いずれか一方のＤカットでもよい。
【００４２】
また、ヒンジフレーム７−３の板状部材７−３−２の上記第１軸３２及び第２軸３３の挿通部外側には、それぞれ第１軸クリックＡ３６、第２軸クリックＡ３７が板状部材７−３−２と一体に設けられている。
【００４３】
この第１軸クリックＡ３６に対向して、第１軸クリックＢ３８が第１軸３２に外嵌して配設され、この第１軸クリックＢ３８と本体連結係合部２５−２との間に、押し付勢力を有する螺旋バネ３９が第１軸３２に外嵌して介装される。
【００４４】
第１軸クリックＢ３８は、第１軸３２のＤカット部に係合していることにより回転を禁止され、第１軸３２と平行方向には摺動可能な状態で、螺旋バネ３９により第１軸クリックＡ３６に対して押圧されている。
【００４５】
他方、第２軸３３側においても、第２軸クリックＡ３７に対向して、第２軸クリックＢ４１が第２軸３３に外嵌して配設され、この第２軸クリックＢ４１と表示連結係合部２６ｂとの間に、押し付勢力を有する螺旋バネ４２が第２軸３３に外嵌して介装される。
【００４６】
第２軸クリックＢ４１は、第２軸３３のＤカット部に係合していることにより回転を禁止され、第２軸３３と平行方向には摺動可能な状態で、螺旋バネ４２により第２軸クリックＡ３７に対して押圧されている。
【００４７】
尚、上記フランジ３４以下螺旋バネ４２までの構成は、図の右側の構成にのみ番号を付与して説明してきたが、図の左側においても同様に構成されている。
また、上記の螺旋バネ３９は、螺旋バネ４２よりも太く、したがって、第１軸クリックＢ３８を第１軸クリックＡ３６に対して押圧する力は、螺旋バネ３９が第２軸クリックＢ４１を第２軸クリックＡ３７に対して押圧する力よりも大きい。
【００４８】
換言すれば、第１軸３２とヒンジ機構７−３との回動を規制する第１軸クリックＡ３６と第１軸クリックＢ３８とのクリック係合力を解除するために要する回動の外力は、第２軸３３とヒンジ機構７−３との回動を規制する第２軸クリックＡ３７と第２軸クリックＢ４１とのクリック係合力を解除するために要する回動の外力よりも大きな外力を必要とする。
【００４９】
これにより、カメラ本体２に対して表示装置５を図２及び図４のように回動移動させようとしたとき、回動開始時においては、ダブルヒンジ７はカメラ本体２に対し固定され表示装置５に対して先に動くことになる。
【００５０】
図９は、第１軸クリックＡ３６と第１軸クリックＢ３８との係合関係を示す図である。同図上は、図８の破線丸Ｂで囲んで示す部分の拡大図を左に示し、その第１軸クリックＡ３６の図９における右側面を中央に示し、第１軸クリックＢ３８の図９における右側面を右に示している。
【００５１】
また、上記の中央に示す第１軸クリックＡ３６の回動位置は、後述するカメラ本体２に対する表示装置５の姿勢Ａ、Ｂ、Ｃに対応する第１軸クリックＡ３６の回動位置を示し、その下に示す第１軸クリックＡ３６の回動位置は、後述するカメラ本体２に対する表示装置５の姿勢Ｅに対応する第１軸クリックＡ３６の回動位置を示している。
【００５２】
図９の下方に示す斜視図は、上述した表示装置５の姿勢Ａ、Ｂ、Ｃのときの第１軸クリックＡ３６と第１軸クリックＢ３８との対応関係を上方に示し、表示装置５の姿勢Ｅのときの第１軸クリックＡ３６と第１軸クリックＢ３８との対応関係を下方に示している。
【００５３】
図９において、第１軸クリックＡ３６は、図８で説明したように、ヒンジフレーム７−３の板状部材７−３−２に固定されて一体化されており、ヒンジ機構７−３（つまり板状部材７−３−２）と共に回動する。そして、基準水平位置（ダブルヒンジ７の閉じ位置）から５°下方にずれた位置に１個のクリック凸部４３を備えている。
【００５４】
他方の第１軸クリックＢ３８は、その内周Ｄカット面４４が第１軸３２のＤカット平坦部４５に摺接しながら第１軸３２に外嵌しており、図９に示す位置で回転が禁止されている。そして、第１軸クリックＢ３８は、第１軸クリックＡ３６との対向面に第１軸クリックＡ３６のクリック凸部４３と係合する２個のクリック凹部４６−１および４６−２を備えている。
【００５５】
２個のうち１個のクリック凹部４６−１は、基準水平位置４０に対して０°の位置に、すなわち位置ずれを持たずに配置されている。そして、他のクリック凹部４６−２は、クリック凹部４６−１の反対側で基準水平位置４０から反時計回り方向に２０°ずれた位置すなわちクリック凹部４６−１の位置から２００°反時計回り方向に回り込んだ位置に配置されている。
【００５６】
基準水平位置４０で第１軸クリックＡ３６のクリック凸部４３と第１軸クリックＢ３８のクリック凹部４６−１が係合したときは、基準水平位置４０に対して５°の位置ずれを有するクリック凸部４３が、基準水平位置４０にずれなく配置され且つ螺旋バネ３９によってクリック凸部４３方向に押圧されているクリック凹部４６−１により、クリック凹部４６−１に正しく係合する方向に力を加えられ、この力が図の矢印ａで示す時計回り方向の付勢力となり、これによって、ダブルヒンジ７（７−３−２）が、図１に示す状態から図３に示す状態に至るまで間、カメラ本体２の底部２−３に、図５に示した第１当接部２２を介して常に密着している。これが後述する姿勢Ａ、Ｂ、Ｃに対応する。
【００５７】
そして図３の状態から図４及び図５に示す撮影状態位置に表示装置５が回動移動されるに伴い、ダブルヒンジ７そのものがカメラ本体２の底部に対して、図６に示した第３当接部２４により回動を禁止される位置まで、図９の矢印ｂで示す反時計回り方向に１９０°回動する。
【００５８】
この１９０°の回動位置で、図９の上中央の下及び同図下の斜視図の下方の斜視図に示す第１軸クリックＡ３６のクリック凸部４３と第１軸クリックＢ３８のクリック凹部４６−２が係合したとき、基準水平位置４０に対して１５°の位置にきているクリック凸部４３が、基準位置４０より２０°上に配置されて螺旋バネ３９によってクリック凸部４３方向に押圧されているクリック凹部４６−２により、この場合もクリック凹部４６−１に正しく係合する方向に力を加えられ、この力が図の矢印ｃで示す反時計回り方向の付勢力となり、これによって、カメラ１の図４又は図５に示す状態において、ダブルヒンジ７（７−３−２）がその外側ヒンジカバー７−２の上記第３当接部２４をカメラ本体２の底部角部に常に密着させて位置決めされる。これが後述する姿勢Ｅに対応する。
【００５９】
図１０は、表示装置５の上述した姿勢Ａ、Ｂ、Ｃの状態を示す図である。
図１１は、表示装置５の上述した姿勢Ｄ、Ｅの状態を示す図である。尚、図１０に示す姿勢Ａは、図６のＡ−Ａ´断面矢視図を示しており、図１０の姿勢Ａ以下図１１の姿勢Ｅまで同一断面による表示装置５の姿勢の遷移状態を示している。
【００６０】
以下、図１０及び図１１を用いて表示装置５の姿勢の遷移状態と、図９の第１軸クリックＡ３６と第１軸クリックＢ３８との係合状態との関係について説明する。図１０に示す姿勢Ａは、図１及び図６に示したように、表示装置５がカメラ本体２の撮影面２−２に折り畳まれた状態であり、表示装置５の表示面５−２の液晶表示部を取り囲む周囲の面が、カメラ本体２の撮影面２−２の前面凸部１０に当接している。
【００６１】
この状態で、ダブルヒンジ７の、図５にも示した内側ヒンジカバー７−１の両側の凸状の２個の第１当接部２２が、カメラ本体２の底面２−３に当接して位置決めされている。また、この状態で、図１０の姿勢Ａのヒンジ第１軸係合部４７において、図９に示した第１軸クリックＡ３６のクリック凸部４３が矢印ａで示す方向に付勢されながら第１軸クリックＢ３８のクリック凹部４６−１に係合している。これにより、カメラ本体２の底面２−３へのダブルヒンジ７の位置決めが強固に維持される。
【００６２】
これより図１０の姿勢Ｂ及びＣに示すように表示装置５が開いても、図８で説明したように、第１軸３２における第１軸クリックＡ３６と第１軸クリックＢ３８とのクリック係合力のほうが、表示装置５の対ヒンジ回動支点となる第２軸３３における第２軸クリックＡ３７と第２軸クリックＢ４１とのクリック係合力よりも強いので、カメラ本体２の底面２−３へのダブルヒンジ７の位置決めはそのまま維持されている。
【００６３】
ここで、図１０の姿勢Ｃに示すように、表示装置５は、その下面５−３が、ダブルヒンジ７の外側ヒンジカバー７−２に突設されている第２当接部２３に当接したことによって既にダブルヒンジ７に対する回動は禁止されているので、姿勢Ｃに続いて表示装置５をカメラ本体２の背面方向に回動させると、図１１に示すようにダブルヒンジ７そのものが、ヒンジ第１軸係合部４７を支点にして回動を開始する。
【００６４】
そして、中間の姿勢Ｄを経て、外側ヒンジカバー７−２に形成されている段差部から成る第３当接部２４が、カメラ本体２の底面２−３の外側角部２−３−１に当接することにより、回動を禁止され、姿勢Ｅの状態で位置決めされる。
【００６５】
また、この状態で、図１１の姿勢Ｅのヒンジ第１軸係合部４７において、図９に示した第１軸クリックＡ３６のクリック凸部４３が矢印ｃで示す方向に付勢されながら第１軸クリックＢ３８のクリック凹部４６−２に係合している。これにより、カメラ本体２の底面２−３の外側角部２−３−１へのダブルヒンジ７の位置決めが強固に維持される。
【００６６】
尚、上記の姿勢Ｄでは、第１軸クリックＡ３６のクリック凸部４３は第１軸クリックＢ３８のクリック凹部４６−１と４６−２の中間にあり、螺旋バネ３９の付勢力による第１軸クリックＢ３８からの押圧力で生じるクリック凸部４３と第１軸クリックＢ３８の対向面との摩擦抵抗によって、外力が除去された時点で、その位置で姿勢が停止する。
【００６７】
図１２は、ヒンジ機構の第２軸クリックＡと第２軸クリックＢとの係合関係を示す図である。図１２の上は、図８の破線丸Ｃで囲んで示す部分の拡大図を示し、図１２の中央は上述したカメラ本体２に対する表示装置５の姿勢Ａのときの第２軸クリックＡ３７と第２軸クリックＢ４１との対応関係の斜視図を示し、図１２の下に、表示装置５の姿勢Ｃ、Ｄ、Ｅのときの第２軸クリックＡ３７と第２軸クリックＢ４１との対応関係の斜視図を示している。
【００６８】
図１２において、第２軸クリックＡ３７は、図８で説明したように、ヒンジフレーム７−３の板状部材７−３−２に固定されて一体化されており、ヒンジ機構７−３（つまり板状部材７−３−２）と共に回動する。そして、基準水平位置（ダブルヒンジ７の閉じ位置）４８から５°反時計回り方向にずれた位置に１個ずつ合計２個のクリック凸部４９（４９−１、４９−２）を備えている。
【００６９】
他方の第２軸クリックＢ４１は、その内周Ｄカット面５１が第２軸３３のＤカット平坦部５２に摺接しながら第２軸３３に外嵌しており、図１２に示す位置で回転が禁止されている。そして、第２軸クリックＡ３７との対向面に第２軸クリックＡ３７の２個のクリック凸部４９と係合する２個のクリック凹部５３（５３−１、５３−２）を備えている。
【００７０】
これら２個のクリック凹部５３は、基準水平位置４８に対して０°の位置に、すなわち位置ずれを持たずに配置されている。
図１２の中央の斜視図に示す状態で、基準水平位置４８で第２軸クリックＡ３７の２個のクリック凸部４９（４９−１及び４９−２）と第２軸クリックＢ４１の２個のクリック凹部５３（５３−１及び５３−２）が係合したときは、基準水平位置４８に対して反時計回り方向に「＋５°」の位置ずれを有する２個のクリック凸部４９が、基準位置４８にずれなく配置され且つ螺旋バネ４２によってクリック凸部４９方向にそれぞれ押圧されている２個のクリック凹部５３により、クリック凹部５３に正しく係合する方向つまり反時計回り方向に対してマイナス方向に力を加えられる。
【００７１】
この力が図の矢印ｄで示す時計回り方向の付勢力となり、これによって、図１０の姿勢Ａ（図１と同じ）に示すように、表示装置５が、ダブルヒンジ７との係合部であるヒンジ第２軸係合部５４において、矢印ｄで示す時計回り方向に付勢され、表示面５−２を前面凸部１０に当接させて位置決めされている。
【００７２】
そして、姿勢Ａの状態から表示装置５が、図１２の中央の矢印ｅで示すように反時計回り方向に回動され、図１０に示す中央の中間位置を経て、同図の右に示すように下面５−３がダブルヒンジ７の外側ヒンジカバー７−２の第２当接部２３に当接してダブルヒンジ７に対する回動を禁止される１７０°の位置まで反時計回り方向に開成されて姿勢Ｃの状態になると、第２軸クリックＡ３７と第２軸クリックＢ４１との係合関係は、図１２の下の斜視図に示す状態での係合関係となる。
【００７３】
すなわち、この反時計回り方向の１７０°の回動位置では、第２軸クリックＢ４１の２個のクリック凹部５３−１及び５３−２に対して、第２軸クリックＡ３７側の２個のクリック凸部４９が、４９−１及び４９−２から４９−２及び４９−１に入れ替わり、且つ第２軸クリックＡ３７側の２個のクリック凸部４９は、基準水平位置４８に対して反時計回り方向に「＋５°」の位置ずれを有するので、それから反時計回り方向に１７０°回動した後には、１７０°＋５°＝１７５°の位置に設定される。
【００７４】
これにより、第２軸クリックＡ３７側の２個のクリック凸部４９は、第２軸クリックＢ４１の２個のクリック凹部５３に対して、それぞれ反時計回り方向に「−５°」の位置ずれを持って係合する。
【００７５】
また、これにより、基準水平位置に対して反時計回り方向に「−５°」の位置にきているクリック凸部４９が、基準位置に対し０°で配置され且つ螺旋バネ４２によってクリック凸部４９方向に押圧されているクリック凹部５３により、この場合もクリック凹部５３に正しく係合する方向すなわち反時計回り方向に対しプラス方向に力を加えられる。
【００７６】
この力が図１２の下の矢印ｆ及び図１０の姿勢Ｃにおける矢印ｆで示す反時計回り方向の付勢力となり、これによって、カメラ１の図２又は図３に示す姿勢すなわち図１０の姿勢Ｃの状態において、表示装置５のダブルヒンジ７に対する回動禁止状態が維持され、１７０°開成した状態の表示面５−２が矢印ｇで示すように撮影方向に対し斜め上を向く位置でカメラ本体２に対して位置決めされる。
【００７７】
尚、上記の中間位置の姿勢Ｂでは、第２軸クリックＡ３７のクリック凸部４９はそれぞれ第２軸クリックＢ４１のクリック凹部５３−１と５３−２の中間にあり、螺旋バネ４２の付勢力による第２軸クリックＢ４１からの押圧力で生じるクリック凸部４９と第２軸クリックＢ４１の対向面との摩擦抵抗によって、外力が除去された時点で、その位置で姿勢が停止する。
【００７８】
この後、図１１に示す姿勢Ｄ、Ｅの回動において、表示装置５とダブルヒンジ７との位置関係は変わることなく、前述したようにダブルヒンジ７のみが回動して、姿勢Ｅの状態でダブルヒンジ７の回動が停止し、表示装置５の非表示面５−１が上記の付勢力ｆによりカメラ本体２の背面２−１に設けられている４個の凸部２０に当接して表示装置５がカメラ本体２に対して位置決めされる。
【００７９】
このように、上記実施例１に示す実施形態においては、表示装置５は、図１、図６及び図１０の姿勢Ａに示す撮影レンズ部１３（カメラ本体２の撮影レンズ窓１３が有る撮影面２−２、図２参照）を保護する位置と、露出させる位置（図１０の姿勢Ｅ参照）とに移動可能に回動する。
【００８０】
また、ダブルヒンジ７の連結部における回動開始時の回動抵抗において、連結部の第１の回動部としての第１軸３２廻りの回動抵抗は、第２の回動部としての第２軸３３廻りの回動抵抗よりも大きいので、表示装置５を開き方向に回動させる場合には、常に先に表示装置５がダブルヒンジ７に対して単独で回動を開始し、その次にダブルヒンジ７と共に回動するというように動作するので、２軸の回動軸を有するヒンジ構造でありながら、表示装置５の回動位置はカメラ本体２に対して一義的に定まって安定している。
【００８１】
尚、上記の第１軸３２廻りの回動抵抗及び第２軸３３廻りの回動抵抗となる回動負荷の設定は、クリック部の凹凸の深さや、突起部分の曲面の角度、押圧螺旋バネの力量等、単独または組合せで設定される。
【００８２】
次に、図２、図３及び図１０の姿勢Ｃの状態における表示装置５の表示面５−２の表示態様について説明する。
図１３は、実施例１におけるカメラ１の構成ブロック図である。同図に示すように、カメラ１のカメラ本体２には、ＣＰＵ５５と、このＣＰＵ５５にバス５６を介して接続された表示画像処理部５７、撮像部５８、画像処理部５９、及び内蔵メモリ６１が備えられている。
【００８３】
更にＣＰＵ５５には、表示装置開閉ＳＷ（スイッチ）６２、本体操作部６３、ズームモータ６４、フォーカスモータ６５、及び表示装置５の表示装置操作部６６が直接接続されている。
【００８４】
上記の表示装置開閉ＳＷ６２は、図２に示したスイッチ接片１２−２を有し、ＣＰＵ５５はスイッチ接片１２−２により表示装置５の開成開始を検出してカメラ１に電源を入れ、表示装置５の閉成を検出してカメラ１の電源を切断する。
【００８５】
本体操作部６３は、図１に示したズームレバー８、シャッタボタン９、図４に示したモードダイヤル１７、十字ボタン１８、その他の操作ボタン１９等から構成され、操作イベントを検出してＣＰＵ５５に通知する。
【００８６】
ＣＰＵ５５は、ズームモータ６４を制御して撮影レンズ部６７のズームレンズを移動駆動し、また、フォーカスモータ６５を制御して撮影レンズ部６７のフォーカスレンズを移動駆動する。
【００８７】
撮影レンズ部６７を透過した被写体像は撮像素子６８上に結像する。撮像部５８は撮像素子６８を制御し、撮像素子６８上に結像した被写体像から光電変換されたアナログ信号をデジタル変換し、このデジタル変換された結像信号を画像データとして画像処理部５９に出力する。
【００８８】
画像処理部５９は、画像データに、γ補正、ＷＢ処理を施す。ＣＰＵ５５からの指示により、その処理された画像データが更に圧縮処理されて、カメラ本体２に交換自在に装着される不図示のメモリカード等の記録媒体に格納される。
【００８９】
また、表示画像処理部５７は、上記のように撮影対象の映像を表示装置５の表示面５−２に画像として表示するときに、又は記録媒体に格納されている画像データを表示装置５の表示面５−２に画像として再生表示するときに、その画像の明暗・彩度・色合いなどの違いを補正する、γ補正、色処理、ＷＢ（ホワイトバランス）補正処理等をその画像データに対して施す。
【００９０】
ＣＰＵ５５は、カメラ本体２の背面のモードダイヤル１７が自分撮りモードに設定されているときは、カメラ１の姿勢が図１０に示す姿勢Ｃの状態にあると判断し、表示画像処理部５７に対し、表示装置５の画像表示部６９を制御して表示面５−２に表示される表示画像を天地を逆転処理し、さらに設定によっては左右を鏡像反転処理して表示させるよう指示する。
【００９１】
図１６は、表示装置５のロック爪１２−１近傍の要部側断面図である。同図は左に表示装置５を閉成する直前の状態を示し、右に表示装置５を閉成した直後の状態を示している。
【００９２】
同図の左において、いま表示装置５は矢印ｈで示す右方向すなわちカメラ本体２の撮影面２−２に向けて閉成する直前の状態にある。このときロック溝１２−３内部において、スイッチ接片１２−２は、不図示の付勢部材により矢印ｊで示す左方向に付勢されている。この状態でスイッチ接片１２−２は、不図示の電源接点との係合を外れて電源接点を閉状態にしており、したがってカメラ本体２への通電が継続されている。
【００９３】
上記の状態から同図の右に示すように、表示装置５の閉成が完了した状態では、ロック爪１２−１がスイッチ接片１２−２を不図示の付勢部材の付勢力に抗して右方向に押し込んでいる。
【００９４】
ＣＰＵ５５は、スイッチ接片１２−２の状態を常時監視し、スイッチ接片１２−２が右方向に押し込まれた場合には、カメラの主電源をオフにする処理を行う。
そして、この表示装置５の閉成が完了と同時に、同図の右に示すように、ロック爪１２−１がロック溝１２−３内に嵌入した状態となり、ロック爪１２−１の上下がロック溝１２−３の上下内壁に当接して、矢印ｋで示す上下方向への移動を制限されて、表示装置５の常に正しい位置での閉成状態が維持される。これにより、ここでも２軸回動機構に発現される虞のある動作の不安定が、表示装置５の閉成時の動作においても解消される。
【実施例２】
【００９５】
図１４は、実施例２として、セルフタイマを用いた撮影時の３通りの撮影姿勢の態様を示す図である。同図の左は、図１０の姿勢Ｅの状態におけるカメラ１を例えば机などの水平な台７０に載置した通常のセルフタイマ第１撮影位置を示している。この状態で、カメラ１の撮影面２−２の撮影方向は台７０の面に対して２０°上向きとなっており、撮影対象がカメラ１に対し近距離に有る場合や、台７０が低い位置にあり、撮影対象をローアングルで撮影するときなどに適している。
【００９６】
図１４の中央は、ダブルヒンジ７をやや閉じ方向に回動させて台７０上に載置したときのセルフタイマ第２撮影位置を示している。この状態で、カメラ１の撮影面２−２の撮影方向は台７０の面に対して１０°上向きとなっている。この状態は撮影対象がカメラ１に対し中距離に有る場合などに適している。
【００９７】
図１４の右は、ダブルヒンジ７を更に閉じ方向に回動させて台７０上に載置したときのセルフタイマ第３撮影位置を示している。この状態で、カメラ１の撮影面２−２の撮影方向は台７０の面に対して平行な状態となっている。この状態は台７０が人の目線と同じ程度の比較的高い位置にある場合などに適している。
【００９８】
図１５は、上記にようにカメラ１の状態をセルフタイマ第１撮影位置〜セルフタイマ第３撮影位置に設定するために、図９に示した第１軸クリックＢ３８の形状を変更した例を第１軸クリックＢ３８´として示す図である。
【００９９】
尚、図１５には、図９と比較して分かり易く示すため、図９と同一構成部分には図９と同一の番号を付与して示している。また、図１５の第１軸クリックＢ３８´は、図９の場合とは反対側から見た図、つまり図９において左側から見た面を示している。
【０１００】
図１５に示すように、基準水平位置４０から２０°上にずれた位置に形成されているクリック凹部４６−２に加えて、基準水平位置４０から１０°上にずれた位置にクリック凹部４６−３が形成され、更に基準水平位置４０上の位置にクリック凹部４６−４が形成されている。この３個のクリック凹部４６−２、４６−３、４６−４に、図９に示した第１軸クリックＡ３６のクリック凸部４３が順次係合することにより、図１４に示したカメラ１のセルフタイマ第１撮影位置〜セルフタイマ第３撮影位置の状態が、安定した状態で設定される。
【図面の簡単な説明】
【０１０１】
【図１】上は実施例１としてのカメラの上面図、下はその正面図である。
【図２】右下はカメラの表示装置が下位置に回動しているときの全体正面図、右上はその上面図、左は正面図に対する把持部が設けられている方の側面図である。
【図３】図２の右下に示す状態のカメラを背面から見た図である。
【図４】表示装置を下位置から更にカメラ本体の裏側に回り込むように回動させて表示装置の非表示面側をカメラ本体の裏面に当接させた状態を示す図である。
【図５】表示装置の非表示面をカメラ本体の背面に当接させた撮影時の状態にしたときのカメラを斜め下から見上げた斜視図である。
【図６】表示装置を携帯時又は非使用時の状態に畳んだときのカメラの状態を斜め下から見た斜視図である。
【図７】ダブルヒンジの内部のヒンジ機構をカメラ全体構成の中における位置関係と共に示す概略斜視図である。
【図８】ヒンジ機構の拡大図である。
【図９】ヒンジ機構の第１軸クリックＡと第１軸クリックＢとの係合関係を示す図である。
【図１０】表示装置の姿勢Ａ、Ｂ、Ｃの状態を示す図である。
【図１１】表示装置の姿勢Ｄ、Ｅの状態を示す図である。
【図１２】ヒンジ機構の第２軸クリックＡと第２軸クリックＢとの係合関係を示す図である。
【図１３】カメラの構成ブロック図である。
【図１４】実施例２としてのセルフタイマを用いた撮影時の３通りの撮影姿勢の態様を示す図である。
【図１５】カメラの状態をセルフタイマ第１撮影位置〜セルフタイマ第３撮影位置に設定するために第１軸クリックＢの形状を変更した例を示す図である。
【図１６】表示装置のロック爪近傍の要部側断面図である。
【符号の説明】
【０１０２】
１      カメラ
２      カメラ本体
２−１  背面
２−２  撮影面
２−３  底面
２−３−１  外側角部
３      把持部
４      セルフタイマ用報知窓
５      表示装置（液晶表示装置）
５−１  非表示面
５−２  表示面
５−３  底面
６−１、６−２  報知部
７      ダブルヒンジ（ヒンジケース）
７−１  内側ヒンジカバー
７−２  外側ヒンジカバー
７−３  ヒンジフレーム
７−３−１  中軸
７−３−２  板状部材
８      ズームレバー
９      シャッタボタン
１０     前面凸部
１１    リモコン用操作部
１２−１  ロック爪
１２−２  スイッチ接片
１２−３  ロック溝
１３    撮影レンズ窓
１４    ストロボ窓
１５    マイク
１６    電源ボタン
１７    モードダイヤル
１８    十字ボタン
１９（１９−１、１９−２、１９−３）  操作ボタン
２０    凸部
２１    右手
２２    第１当接部
２３    第２当接部
２４    第３当接部
２５（２５−１、２５−２、２５−３）  本体連結係合部
２６（２６−１、２６−２、２６−３）  表示連結係合部
２７    ネジ込み穴
２８    ボス
２９    ネジ挿通孔
３１    フレキシブル基板
３２    第１軸
３３    第２軸
３４、３５  フランジ部
３６    第１軸クリックＡ
３７    第２軸クリックＡ
３８、３８´  第１軸クリックＢ
３９    螺旋バネ
４０    基準水平位置
４１    第２軸クリックＢ
４２    螺旋バネ
４３    クリック凸部
４４    内周Ｄカット面
４５    Ｄカット平坦部
４６−１、４６−２、４６−３、４６−４  クリック凹部
４７    ヒンジ第１軸係合部
４８    基準水平位置（ダブルヒンジの閉じ位置）
４９（４９−１、４９−２）  クリック凸部
５１    内周Ｄカット面
５２    Ｄカット平坦部
５３（５３−１、５３−２）  クリック凹部
５４    第２軸係合部
５５    ＣＰＵ
５６    バス
５７    表示画像処理部
５８    撮像部
５９    画像処理部
６１    内蔵メモリ
６２    表示装置開閉ＳＷ（スイッチ）
６３    本体操作部
６４    ズームモータ
６５    フォーカスモータ
６６    表示装置操作部
６７    撮影レンズ部
６８    撮像素子
６９    画像表示部
７０    台
【図１】
2006138958.tif 000003
【図２】
2006138958.tif 000004
【図３】
2006138958.tif 000005
【図４】
2006138958.tif 000006
【図５】
2006138958.tif 000007
【図６】
2006138958.tif 000008
【図７】
2006138958.tif 000009
【図８】
2006138958.tif 000010
【図９】
2006138958.tif 000011
【図１０】
2006138958.tif 000012
【図１１】
2006138958.tif 000013
【図１２】
2006138958.tif 000014
【図１３】
2006138958.tif 000015
【図１４】
2006138958.tif 000016
【図１５】
2006138958.tif 000017
【図１６】
2006138958.tif 000018